(57)【要約】【課題】複数の利用者が幅方向に並んで着座可能な椅子において、施設運用時における脚部材と利用者等との干渉を抑えるとともに、着座荷重をより適切に脚部材で支持することができる椅子を提供する。【解決手段】複数の利用者が幅方向に並んで着座可能な座体３を含む椅子本体２と、前記椅子本体２を床面上に支持する脚体と、を備え、前記脚体は、床面に接地される前接地部２５と後接地部２６とを備え、前記前接地部２５および後接地部２６は、前記椅子本体２の下方で互いに奥行方向に離間し、平面視で前記椅子本体２の外周縁よりも内側に配置され、前記前接地部２５は、前記幅方向の最外側に配置された一対の前外側接地部２５ａを含み、前記後接地部２６は、前記幅方向の最外側に配置された一対の後外側接地部２６ａを含み、前記一対の後外側接地部２６ａの間の間隔Ｌ２は、前記一対の前外側接地部２５ａの間の間隔Ｌ１よりも狭くされている。【選択図】図４
2018038541.tif 000002
【特許請求の範囲】
【請求項１】
複数の利用者が幅方向に並んで着座可能な座体を含む椅子本体と、前記椅子本体を設置面上に支持する脚体と、を備え、
前記脚体は、設置面に接地される前接地部と後接地部とを備え、
前記前接地部および後接地部は、前記椅子本体の下方で互いに奥行方向に離間し、平面視で前記椅子本体の外周縁よりも内側に配置され、
前記前接地部は、前記幅方向の最外側に配置された一対の前外側接地部を含み、
前記後接地部は、前記幅方向の最外側に配置された一対の後外側接地部を含み、
前記一対の後外側接地部の間の間隔は、前記一対の前外側接地部の間の間隔よりも狭くされている、椅子。
【請求項２】
前記脚体は、前記幅方向に並んで前記椅子本体を支持する複数の脚部材を備え、
前記複数の脚部材における前記幅方向の最外側に位置する一対の外側脚部材には、それぞれ前記前外側接地部および後外側接地部が設けられている、請求項１に記載の椅子。
【請求項３】
前記複数の脚部材は、前記一対の外側脚部材によって構成されている、前記請求項２に記載の椅子。
【請求項４】
前記複数の脚部材の各々は、前記椅子本体における第一の部位に一端が連結されるとともに他端が前記前接地部に至る前脚杆と、前記椅子本体における前記第一の部位から離間した第二の部位に一端が連結されるとともに他端が前記後接地部に至る後脚杆と、で構成されている、請求項２又は３に記載の椅子。
【請求項５】
前記第一の部位および第二の部位は、前記座体の下面に設けられ、
前記前脚杆は、前記第一の部位から前下方へ延びる前傾斜部と、前記前傾斜部の先端から下方へ延びて前記前接地部に至る前垂下部と、を有し、
前記後脚杆は、前記第二の部位から後下方へ延びる後傾斜部と、前記後傾斜部の先端から下方へ延びて前記後接地部に至る後垂下部と、を有している、請求項４に記載の椅子。
【請求項６】
前記椅子本体は、前記座体の後部上方に後傾して立ち上がる背凭れを有し、
前記後接地部は、平面視で前記座体の後端位置よりも後方で前記背凭れの後端位置よりも前方に配置されている、請求項１から５の何れか一項に記載の椅子。
【発明の詳細な説明】
【技術分野】
【０００１】
本発明は、ソファやベンチ等の椅子に関する。
【背景技術】
【０００２】
役所、金融機関、病院、駅、空港等の待合室において、複数の利用者が横方向に並んで着座できるベンチ型の椅子が使用されている（例えば特許文献１参照）。
このような椅子は、有効空間内での設置効率を考慮し、複数人が着座できるサイズのものが、椅子の奥行方向（前後方向）に複数並んで設置され、椅子同士の間の空間を通路として運用することが一般的である。このような椅子の運用にあたっては、椅子同士の間を通って着座するまでに、利用者の足等が椅子の脚部材に当たることによる干渉の防止や、施設稼働時間終了後の清掃時に清掃具が当たることによる損耗の防止という課題がある。
この課題を解決するために、例えば特許文献２に開示される構成を採用することが考えられる。すなわち、椅子の着座部を支持する脚部材を、着座部の外周縁よりも内側にオフセットすることである。
【先行技術文献】
【特許文献】
【０００３】
【特許文献１】特許第５４８３４１５号公報
【特許文献２】実開平０２−０４５０４３号公報
【発明の概要】
【発明が解決しようとする課題】
【０００４】
上記特許文献２のような構成を採用することにより、脚部材が通路側に突出することが無くなるので、利用者への干渉や清掃具の衝突等の発生を抑えることができる。他方、着座部の外周縁近傍は脚部材に支持されていない状態に置かれるので、その領域に作用する着座荷重を適切に支持可能な構成が要望されている。
【０００５】
本願発明は、上記の技術的課題に鑑みてなされたもので、複数の利用者が幅方向に並んで着座可能な椅子において、施設運用時における脚部材と利用者等との干渉を抑えるとともに、着座荷重をより適切に脚部材で支持することができる椅子を提供する。
【課題を解決するための手段】
【０００６】
上記課題の解決手段として、本発明は、複数の利用者が幅方向に並んで着座可能な座体を含む椅子本体と、前記椅子本体を設置面上に支持する脚体と、を備え、前記脚体は、設置面に接地される前接地部と後接地部とを備え、前記前接地部および後接地部は、前記椅子本体の下方で互いに奥行方向に離間し、平面視で前記椅子本体の外周縁よりも内側に配置され、前記前接地部は、前記幅方向の最外側に配置された一対の前外側接地部を含み、前記後接地部は、前記幅方向の最外側に配置された一対の後外側接地部を含み、前記一対の後外側接地部の間の間隔は、前記一対の前外側接地部の間の間隔よりも狭くされている椅子を提供する。
【０００７】
この構成によれば、病院の待合室等でベンチ型の椅子を前後左右に複数並べて設置した場合でも、椅子の前後接地部が平面視で椅子本体の外縁よりも内側に位置するので、利用者が隣接する椅子間の通路を通る際に、利用者の足や車椅子の車輪、清掃具等が脚体に衝突し難い。
また、正しい着座姿勢にあっては、身体の後方側に位置する臀部の位置は、通常は椅子本体の幅方向の外側端からやや内側方に位置するので、後外側接地部が前外側接地部に比して幅方向内側に位置しても、椅子の安定感を維持しやすい。一方、大腿部を含む脚の位置は、特に椅子本体の幅方向外側に着座した着座者が臀部を中心に身体を回転させた場合等、椅子本体の幅方向の外側端に位置しやすい。しかし、前外側接地部が後外側接地部よりも幅方向外側に位置するので、様々に動く着座荷重を安定的に支持しやすい。利用者が座体の前角部近傍に着座した際の安定性も向上させられる。
さらに、病院の待合室等で前後左右に複数並んで設置されるベンチ型の椅子において、椅子の幅方向一側に車椅子が並んだ状態から、この車椅子が椅子の幅方向他側に移動するような場合、通常は車椅子が椅子の後方を通過する。このため、椅子の幅方向一側に並んだ車椅子が横向きに方向転換する際に、車椅子の前輪が椅子の後接地部近くを通ることとなる。このときも、椅子の後外側接地部が幅方向内側に位置するので、車椅子の旋回時に前輪と後外側接地部とが干渉し難い。
このように、施設運用時における脚体の利用者への干渉や清掃具等との衝突を抑えた上で、着座者の荷重をより適切に脚体で支持することができる。
【０００８】
本発明において、前記脚体は、前記幅方向に並んで前記椅子本体を支持する複数の脚部材を備え、前記複数の脚部材における前記幅方向の最外側に位置する一対の外側脚部材には、それぞれ前記前外側接地部および後外側接地部が設けられている構成としてもよい。
この場合、複数の脚部材によって幅方向に長い椅子本体を安定して支持することができる。また、隣接する脚部材間を離間させることで開放感および清掃のしやすさを高めることができる。そして、幅方向最外側の一対の外側脚部材によって、一対の前外側接地部および一対の後外側接地部を効率よく設けることができる。
【０００９】
本発明において、前記複数の脚部材は、前記一対の外側脚部材によって構成されていてもよい。
この場合、一対の外側脚部材のみによって椅子本体を支持することで、椅子本体下方の開放感および清掃のしやすさをより一層高め、利用者への干渉をより一層抑え、かつ軽量化にも寄与することができる。
【００１０】
本発明において、前記複数の脚部材の各々は、前記椅子本体における第一の部位に一端が連結されるとともに他端が前記前接地部に至る前脚杆と、前記椅子本体における前記第一の部位から離間した第二の部位に一端が連結されるとともに他端が前記後接地部に至る後脚杆と、で構成されていてもよい。
この場合、各脚部材が、異なる二つの部位で椅子本体に連結された前後脚杆で構成されているので、椅子本体下方の前後接地部間に空間が確保される。したがって、椅子本体下方の開放感および清掃のしやすさをより一層高め、利用者への干渉をより一層抑え、かつ軽量化にも寄与することができる。
【００１１】
本発明において、前記第一の部位および第二の部位は、前記座体の下面に設けられ、前記前脚杆は、前記第一の部位から前下方へ延びる前傾斜部と、前記前傾斜部の先端から下方へ延びて前記前接地部に至る前垂下部と、を有し、前記後脚杆は、前記第二の部位から後下方へ延びる後傾斜部と、前記後傾斜部の先端から下方へ延びて前記後接地部に至る後垂下部と、を有している構成としてもよい。
この場合、利用者が椅子を見下ろしたとき、前脚杆の上部は前傾斜部によって座体に隠れて目立たなくなり、かつ後脚杆の上部は後傾斜部によって座体に隠れて目立たなくなる。また、前後傾斜部によって座体の下方かつ前後接地部の上方に空間が形成される。これにより、座体下方の開放感を高めるとともに利用者の脚や荷物等がより一層干渉し難くすることができる。
また、前後傾斜部の先端から下方へ延びて前後接地部に至る前後垂下部を有するので、前後傾斜部が直接に前後接地部に至る場合に比して、前後接地部周りに鋭角状の空間が形成されなくなる。これにより、前後接地部周りに清掃具の吸引ヘッド等を近付けやすく、清掃のしやすさをより一層高めることができる。
【００１２】
本発明において、前記椅子本体は、前記座体の後部上方に後傾して立ち上がる背凭れを有し、前記後接地部は、平面視で前記座体の後端位置よりも後方で前記背凭れの後端位置よりも前方に配置されている構成としてもよい。
この場合、椅子本体が背凭れを有することで、椅子の前後方向を明確にし、着座者の荷重を適切に支持する効果をより確実に得ることができる。また、後接地部を可及的に後方へ配置し、背凭れに入力される荷重を効率よく支持することができる。
【発明の効果】
【００１３】
本発明によれば、複数の利用者が幅方向に並んで着座可能な椅子において、施設運用時における脚部材と利用者等との干渉を抑えるとともに、着座荷重をより適切に脚部材で支持することができる。
【図面の簡単な説明】
【００１４】
【図１】本発明の一実施形態に係る椅子の前上方からの斜視図である。
【図２】上記椅子の後上方からの斜視図である。
【図３】上記椅子の前面図である。
【図４】上記椅子の上面図である。
【図５】上記椅子の側面図である。
【図６】上記椅子を前後に複数並べた状態の上面図である。
【図７】上記椅子を前後に複数並べて互いに接触させた状態の側面図である。
【図８】図４のＶＩＩＩ−ＶＩＩＩ断面図である。
【図９】座フレームおよび背フレームならびに脚部材を示す分解斜視図である。
【図１０】上記実施形態の第一の変形例を示す斜視図である。
【図１１】上記実施形態の第二の変形例を示す斜視図である。
【図１２】上記実施形態の第三の変形例を示す斜視図である。
【図１３】上記実施形態の第四の変形例を示す斜視図である。
【図１４】上記実施形態の第五の変形例を示す斜視図である。
【図１５】上記実施形態の第六の変形例を示す斜視図である。
【図１６】上記実施形態の第七の変形例を示す斜視図である。
【発明を実施するための形態】
【００１５】
以下、本発明の一実施形態を図面に基づいて説明する。
本実施形態の椅子１は、役所、金融機関、病院、駅、空港等の待合室に設置されるベンチシートである。なお、以下の説明において、前後左右等の向きは、特に記載がなければ、椅子１に正規姿勢で着座した着座者から見た向きと同一とする。本実施形態において、椅子１の幅方向とは椅子１の左右方向を意味し、奥行方向とは椅子１の前後方向を意味する。また、以下の説明に用いる図中適所には、前方を示す矢印ＦＲ、上方を示す矢印ＵＰ、左方を示す矢印ＬＨが示されている。
【００１６】
図１、図２に示すように、本実施形態の椅子１は、複数の利用者が幅方向に並んで着座可能な座体３を含む椅子本体２と、前記椅子本体２を床面（設置面）Ｆ上に支持する脚体１５と、を備えている。
椅子本体２は、幅方向に並ぶ複数の着座位置を形成する座体３と、座体３の後部上方に立ち上がる背凭れ４と、を一体に備えている。
【００１７】
図８、図９を併せて参照し、座体３は、例えば木製または金属製の座フレーム５と、座フレーム５の上面および前端面に被さる座クッション７と、を含む座本体３ａを備えている。また、座体３は、座本体３ａを被覆する座表皮材１１を備えている。座体３（および座フレーム５）は、幅方向に長く前後方向に短い平面視略矩形状をなし、上下厚さを抑えた偏平状に形成されている。
【００１８】
座フレーム５は、床面Ｆと平行に配置される底板５ａと、底板５ａの上方に隙間を空けて配置される上板５ｂと、底板５ａと上板５ｂとの間に設けられる支持材５ｃと、を一体に備えている。底板５ａの下面（座体３の下面３ｇ）には、脚体１５における後述する連結板１９が固定されている。
座クッション７は、例えばウレタンフォーム材等、適宜のクッション材からなる。
座表皮材１１は、皮革、布、ビニール系素材等からなり、座クッション７および座フレーム５の少なくとも上方、前方および幅方向両側方を覆うように設けられている。
【００１９】
図４に示すように、座体３の前端部は、幅方向内側の中間部が幅方向と平行をなすように平面視で直線状に形成されるのに対し、幅方向外側の両側部が外側ほど後側に位置するように平面視で湾曲または傾斜して形成されている。以下、座体３の前端部の幅方向外側の湾曲部を座外側湾曲部３ｈとする。
【００２０】
図１、図２に示すように、座体３（座本体２ａ）は、上方を向く着座面３ｂを形成するとともに、前面３ｃ、幅方向外側の両外側面３ｄおよび後面３ｅを含んで、略一定の上下幅を有して平面視の外縁を周回する外周面３ｆを形成している。なお、座体３の前面３ｃは、下側ほど後方に位置するように傾斜している。これにより、利用者が着座状態から立ち上がる際に足を座体３下方へ引いても、座体３の前端部が脹脛に干渉し難い。
【００２１】
ここで、座表皮材１１は、被覆面に沿う面沿い方向（第一の方向）の伸縮を許容する第一の被覆材１３と、前記第一の被覆材１３に比して前記第一の方向の伸縮を抑えるとともに、前記第一の方向と交差する面直方向（第二の方向）で潰れ変形する緩衝層を有する第二の被覆材１４と、の二種類に分けられる。
【００２２】
座フレーム５および座クッション７を含む座本体３ａにおいて、座本体３ａの上面である着座面３ｂは第一の被覆材１３で覆われ、座本体３ａの前面３ｃ、幅方向外側の両外側面３ｄ、後面３ｅを含む外周面３ｆは第二の被覆材１４で覆われている。なお、座本体３ａの下面３ｇを被覆材で覆う場合、外周面３ｆと同様に第二の被覆材１４を用いると、座本体３ａの下面３ｇを形成する底板５ａが緩衝層で覆われるため好ましい。
【００２３】
図８、図９を併せて参照し、背凭れ４は、例えば木製または金属製の背フレーム６と、背フレーム６の前面および上端面に被さる背クッション８と、を含む背凭れ本体３ａを備えている。また、背凭れ４は、背凭れ本体３ａを被覆する背表皮材１２を備えている。背凭れ４（および背フレーム６）は、座体３の後部から上方に向かって立ち上がる。背凭れ４は、上側ほど後側に位置するように後傾している。背凭れ４は、幅方向に長く上下方向に短い正面視略矩形状をなし、前後厚さを抑えた偏平状に形成されている。
【００２４】
背フレーム６は、座フレーム５の後端部から上方に向かって延びる背面板６ａと、背面板６ａの前方に隙間を空けて配置される前面板６ｂと、背面板６ａと前面板６ｂとの間に設けられる支持材６ｃと、を一体に備えている。
背クッション８は、例えばウレタンフォーム材等、適宜のクッション材からなる。
背表皮材１２は、皮革、布、ビニール系素材等からなり、背クッション８および背フレーム６の少なくとも前方、後方、上方および幅方向両側方を覆うように設けられている。
【００２５】
背フレーム６と座フレーム５とは互いに一体化されている。なお、例えば背フレーム６と座フレーム５とが互いに別体であってもよい。また、背クッション８および座クッション７も互いに一体化されているが、これらが互いに別体であってもよい。さらに、背凭れ４がリクライニング可能な構成であってもよい。
【００２６】
なお、本実施形態では、座体３の後部の上方に背凭れ４が起立するものとして説明するが、座体３の後方に背凭れ４の下部が位置するものとみなすこともできる。すなわち、本実施形態では、座体３と背凭れ４との接続部分は座体３の後部であるが、前記接続部分が背凭れ４の下部とみなすこともできる。
また、図３〜図５に鎖線で示すように、座体３上の着座位置を区画するように肘掛け９を設けてもよい。
【００２７】
図４に示すように、背凭れ４の背面部は、幅方向内側の中間部が幅方向と平行をなすように平面視で直線状に形成されるのに対し、幅方向外側の両側部が外側ほど前側に位置するように平面視で湾曲または傾斜して形成されている。以下、背凭れ４の背面部の幅方向外側の湾曲部を背外側湾曲部４ｈとする。背外側湾曲部４ｈの下端は、座体３の下端まで至り、座体３の後面部の幅方向外側も同様に切り欠いている。
【００２８】
図６を併せて参照し、背外側湾曲部４ｈは、座外側湾曲部３ｈに対して、幅方向の形成範囲が狭い。椅子１を前後方向に複数並べた際、背外側湾曲部４ｈおよび座外側湾曲部３ｈは互いに前後方向で対向し、前後方向に並んだ椅子１の間に形成される通路Ｔを幅方向外側に向けて広げる。
【００２９】
図１、図２に示すように、背凭れ４（背凭れ本体３ａ）は、前方を向く背凭れ面４ｂを形成するとともに、上面４ｃ、幅方向外側の両外側面４ｄおよび後面４ｅを形成している。なお、背凭れ４の両外側面４ｄの上部は、上側ほど幅方向内側に位置するように正面視で傾斜している。
【００３０】
背フレーム６および背クッション８を含む背凭れ本体３ａにおいて、背凭れ本体３ａの前面である背凭れ面４ｂ、上面４ｃ、幅方向外側の両外側面４ｄの上半部、後面４ｅの上半部は、第一の被覆材１３で覆われ、両外側面４ｄの下半部、後面４ｅの下半部は、第二の被覆材１４で覆われている。外側面４ｄおよび後面４ｅにおける第一の被覆材１３および第二の被覆材１４の切り替え位置は、互いに同一高さとされている。
【００３１】
ここで、椅子１の着座面３ｂおよび背凭れ面４ｂは、前記第一の被覆材１３で覆われているので、着座面３ｂおよび背凭れ面４ｂが着座荷重を受けた際、第一の被覆材１３が前記第一の方向に伸張することにより、着座者の身体の荷重が適度な張力で支持される。
また、座体３の外周面３ｆおよび背凭れ４の後面４ｅの下半部においては、前記第二の被覆材１４で覆われているので、外的衝撃を受けたり利用者の身体が当たった際に、緩衝層が面直方向で潰れて沈み込む等により、衝撃が吸収されるとともに違和感が抑えられる。
このように、二種類の被覆材を適所に切り替えて配置することで、座り心地を良好にするとともに椅子および接触物に対する衝撃を緩和することができる。また、第一の被覆材１３と第二の被覆材１４とで色等を変えることで、椅子に外観上の変化を与えることもできる。
【００３２】
図６に示すように、椅子１は、例えば病院の待合室等で、前後方向に間隔を空けて複数並べられて設置される。このとき、前後方向に整列した複数の椅子１間の空間は、それぞれ利用者が通過可能な通路Ｔとなる。この通路Ｔは、前記座外側湾曲部３ｈおよび前記背外側湾曲部４ｈによって幅方向外側が開放側に向けて広がるので、利用者が出入りしやすく、幅方向内側の着座位置へのアクセス性を高める。
【００３３】
図３〜図５に示すように、脚体１５は、幅方向に並ぶ複数の脚部材１６によって椅子本体２を支持する。複数の脚部材１６は、座体３の幅方向外側の下方に位置する一対の外側脚部材１６ａで構成されている。なお、図３に鎖線で示すように、一対の外側脚部材１６ａの間に別途の脚部材１６を有してもよい。
【００３４】
各脚部材１６（外側脚部材１６ａ）は、座体３の下面３ｇの前後中間部（第一の部位３ｇ１）に上端が連結されるとともに下端が前接地部２５に至る前脚杆１７と、座体３の下面３ｇの後端部（第一の部位３ｇ１から後方に離間した第二の部位３ｇ２）に上端が連結されるとともに下端が後接地部２６に至る後脚杆１８と、で構成されている。前後脚杆１７，１８の各々は、例えば丸鋼管を用いて形成されている。前後脚杆１７，１８の各下端には、前後接地部２５，２６を形成する例えば樹脂製の接地パッドが取り付けられている。各脚部材１６において、前接地部２５および後接地部２６は、椅子本体２の下方で互いに奥行方向に離間している。
【００３５】
図９を併せて参照し、前後脚杆１７，１８の上端は、座体３の下面３ｇに沿う連結板１９を介して互いに一体に連結されている。連結板１９は、平面視矩形状をなし、長辺方向を前後方向に対して後側が幅方向内側に位置するように傾斜した方向に沿わせて配置されている。連結板１９の前部および後部の下面には、それぞれ前後脚杆１７，１８の上端が溶接等により結合されている。連結板１９は、座フレーム５の下面（座体３の下面３ｇ）に当接し、複数のボルトＢにより締結固定されている。連結板１９は、後脚杆１８が前脚杆１７に対して幅方向内側にオフセットしていることに伴い、平面視で傾斜している。
【００３６】
図７に示すように、座体３の着座面３ｂの前後中央位置Ｃ１は、座体３の前端位置Ｐ１および後端位置Ｐ２の間の前後中央位置Ｃ２よりも前方に位置している。
前脚杆１７の上端は、着座面３ｂの前後中央位置Ｃ１よりも後方で座体３の前後中央位置Ｃ２よりも前方に配置されている。また、後脚杆１８の上端は、着座面３ｂの後端位置Ｐ４よりも前方で後端位置Ｐ４に近接または一部重なるように配置されている。
なお、前後脚杆１７，１８の椅子本体２への連結部位としては、例えば座体３の前後面や外側面等も考えられる。また、別途のビーム部材等の中間部材を介して、前後脚杆１７，１８を椅子本体２に連結する構成も有り得る。
【００３７】
椅子１の収納時等、複数の椅子１を奥行方向で互いに接するように前後に並べたとき、前側の椅子１の後接地部２６と後側の椅子１の前接地部２５とは、奥行方向で互いに離間する。もっとも、前後接地部２５，２６は幅方向でオフセットしていれば、複数の椅子１を幅方向の位置を整合させた整列状態で前後に並べたとき、前後接地部２５，２６同士が干渉することはない。
【００３８】
図１、図２、図５を参照し、前脚杆１７は、上端から前下方へ側面視で傾斜して延びる前傾斜部２１と、前傾斜部２１の下端から屈曲して鉛直下方へ延びる前垂下部２３と、を一体に有している。前垂下部２３の下端には、前接地部２５を形成する前接地パッドが取り付けられている。
後脚杆１８は、上端から後下方へ側面視で傾斜して延びる後傾斜部２２と、後傾斜部２２の下端から屈曲して鉛直下方へ延びる後垂下部２４と、を一体に有している。後垂下部２４の下端には、後接地部２６を形成する後接地パッドが取り付けられている。
【００３９】
前後接地部２５，２６の周囲には、側面視で前後垂下部２３，２４と床面Ｆとで直角に区画された空間が形成される。
仮に、前後傾斜部２１，２２が直接に前後接地部２５，２６に至ると、前後接地部２５，２６の周囲には、側面視で前後傾斜部２１，２２と床面Ｆとで鋭角に区画された空間が形成される。この場合、掃除機の吸引ヘッド等が前後接地部２５，２６に近付き難くなってしまう。
【００４０】
これに対し、本実施形態では、掃除機の吸引ヘッド等が前後接地部２５，２６に近付きやすく、前後接地部２５，２６周辺の清掃がしやすい。また、前後傾斜部２１，２２に対して上下幅は小さいものの、床面Ｆから高さを有する前後垂下部２３，２４があること、および前後垂下部２３，２４が互いに離間することでも、前後接地部２５，２６周辺の清掃がしやすくなる。
【００４１】
図３〜図５を参照し、前後脚杆１７，１８は、幅方向に直交する平面に沿うように形成されている。前後脚杆１７，１８は、椅子本体２の幅方向外側端に対して幅方向内側にオフセットしている。さらに、後脚杆１８は、前脚杆１７に対して幅方向内側にオフセットしている。
【００４２】
一対の前接地部２５および一対の後接地部２６は、平面視で椅子本体２の外縁よりも内側に配置されている。
図７を併せて参照し、前接地部２５および後接地部２６は、奥行方向（前後方向）では椅子本体２の前端位置（座体３の前端位置Ｐ１）よりも後方で椅子本体２の後端位置（背凭れ４の後端位置Ｐ３）よりも前方に配置されている。また、前接地部２５および後接地部２６は、幅方向（左右方向）では椅子本体２の外側端（外側面３ｄ，４ｄ）よりも内側に配置されている。これにより、椅子１に利用者等が近づいた際、利用者の足、車椅子のフットレストおよびベビーカーの前輪等、床面Ｆ近くの移動体が前後接地部２５，２６周辺に干渉し難くなる。
【００４３】
前接地部２５は、奥行方向で座体３の前端位置Ｐ１よりも後方かつ着座面３ｂの前後中央位置Ｃ１よりも前方に配置されている。
一方、後接地部２６は、奥行方向で座体３の後端位置Ｐ２よりも後方で後端位置Ｐ２に近接または一部重なり、かつ背凭れ４の後端位置Ｐ４よりも前方に配置されている。後接地部２６を座体３の後端位置Ｐ２を越えて可及的に後方に配置することで、背凭れ４に入力される後方荷重を支持しやすくしている。
【００４４】
前接地部２５は、座体３の着座面３ｂの前後中央位置Ｃ１よりも前方に位置し、後接地部２６は着座面３ｂの前後中央位置Ｃ１よりも後方に位置している。
実施形態における一対の前接地部２５は、幅方向の最外側に位置する一対の前外側接地部２５ａに相当し、実施形態における一対の後接地部２６は、幅方向の最外側に位置する一対の後外側接地部２６ａに相当する。一対の前外側接地部２５ａ間の間隔Ｌ１と一対の後外側接地部２６ａ間の間隔Ｌ２とを比較すると、間隔Ｌ１に対して間隔Ｌ２は狭くされている。
【００４５】
以上説明したように、上記実施形態における椅子１は、複数の利用者が幅方向に並んで着座可能な座体３を含む椅子本体２と、前記椅子本体２を床面Ｆ上に支持する脚体１５と、を備え、前記脚体１５は、床面Ｆに接地される前接地部２５と後接地部２６とを備え、前記前接地部２５および後接地部２６は、前記椅子本体２の下方で互いに奥行方向に離間し、平面視で前記椅子本体２の外周縁よりも内側に配置され、前記前接地部２５は、前記幅方向の最外側に配置された一対の前外側接地部２５ａを含み、前記後接地部２６は、前記幅方向の最外側に配置された一対の後外側接地部２６ａを含み、前記一対の後外側接地部２６ａの間の間隔Ｌ２は、前記一対の前外側接地部２５ａの間の間隔Ｌ１よりも狭くされている。
【００４６】
この構成によれば、椅子１の前後接地部２５，２６が平面視で椅子本体２の外縁よりも内側に位置しているので、椅子１に利用者等が近付いた際、利用者の足、車椅子のフットレストおよびベビーカーの前輪等、床面Ｆ近くの移動体が前後接地部２５，２６周りに干渉し難くなる。
ここで、病院の待合室等で前後方向に複数並んで設置されるベンチ型の椅子１において、前後方向に並んだ椅子１の間に形成される通路Ｔを車椅子やベビーカー等が通過することがある。通常、椅子１と前後方向を同一にした車椅子やベビーカー等が、前記通路Ｔに向けて方向転換するとき、車椅子のフットレストやベビーカーの前輪等の床面Ｆ近くの移動体が、椅子１の後接地部２６の近傍を通過することとなる。このような場合でも、椅子１の後外側接地部２６ａが幅方向内側にオフセットしているので、車椅子やベビーカー等の下部と後外側接地部２６ａとが干渉し難くなる。
利用者が正規姿勢で着座した場合、利用者の身体の後方側に位置する臀部の位置は、椅子本体２の幅方向外側の着座位置であっても、椅子本体２の幅方向の外側端から内側方にずれた位置に保たれる。このため、後外側接地部２６ａが前外側接地部２５ａに比して幅方向内側に位置しても、椅子１の安定感を維持しやすい。
一方、利用者の大腿部を含む脚の位置は、特に椅子本体２の幅方向外側の着座位置では、利用者が横向きに着座する等、椅子本体２の幅方向の外側端にかかりやすい。しかし、前外側接地部２５ａが後外側接地部２６ａよりも幅方向外側に位置するので、様々に動く着座荷重を安定的に支持しやすい。利用者が座体３の前角部近傍に着座した際の安定性も向上させられる。
このように、施設運用時における脚部材１６と利用者等との干渉を抑えるとともに、着座荷重をより適切に脚部材１６で支持することができる。
【００４７】
上記実施形態における椅子１は、前記脚体１５は、前記幅方向に並んで前記椅子本体２を支持する複数の脚部材１６を備え、前記複数の脚部材１６における前記幅方向の最外側に位置する一対の外側脚部材１６ａには、それぞれ前記前外側接地部２５ａおよび後外側接地部２６ａが設けられている。
この構成によれば、幅方向に長い椅子本体２を複数の脚部材１６で安定して支持することができる。また、隣接する脚部材１６間を離間させることで開放感および清掃のしやすさを高めることができる。そして、幅方向最外側の一対の外側脚部材１６ａによって一対の前外側接地部２５ａおよび一対の後外側接地部２６ａを効率よく設けることができる。
【００４８】
上記実施形態における椅子１は、前記複数の脚部材１６は、前記一対の外側脚部材１６ａによって構成されている。
この構成によれば、一対の外側脚部材１６ａのみによって椅子本体２を支持することで、椅子本体２下方の開放感および清掃のしやすさをより一層高め、利用者への干渉をより一層抑え、かつ軽量化にも寄与することができる。
【００４９】
上記実施形態における椅子１は、前記複数の脚部材１６の各々は、前記椅子本体２における第一の部位３ｇ１に一端が連結されるとともに他端が前記前接地部２５に至る前脚杆１７と、前記椅子本体２における前記第一の部位３ｇ１から離間した第二の部位３ｇ２に一端が連結されるとともに他端が前記後接地部２６に至る後脚杆１８と、で構成されている。
この構成によれば、各脚部材１６が、異なる二つの部位で椅子本体２に連結された前後脚杆１７，１８で構成されているので、椅子本体２下方の前後接地部２５，２６間に空間が確保される。したがって、椅子本体２下方の開放感および清掃のしやすさをより一層高め、利用者への干渉をより一層抑え、かつ軽量化にも寄与することができる。
【００５０】
上記実施形態における椅子１は、前記第一の部位３ｇ１および第二の部位３ｇ２は、前記座体３の下面３ｇに設けられ、前記前脚杆１７は、前記第一の部位３ｇ１から前下方へ延びる前傾斜部２１と、前記前傾斜部２１の先端から下方へ延びて前記前接地部２５に至る前垂下部２３と、を有し、前記後脚杆１８は、前記第二の部位３ｇ２から後下方へ延びる後傾斜部２２と、前記後傾斜部２２の先端から下方へ延びて前記後接地部２６に至る後垂下部２４と、を有している。
この構成によれば、利用者が椅子１を見下ろしたとき、前脚杆１７の上部は前傾斜部２１によって座体３に隠れて目立たなくなり、かつ後脚杆１８の上部は後傾斜部２２によって座体３に隠れて目立たなくなる。また、前後傾斜部２１，２２によって座体３と前後接地部２５，２６との間に空間が形成される。これにより、座体３下方の開放感を高めるとともに、利用者の足や荷物等が干渉することをより一層抑えることができる。
また、前後傾斜部２１，２２の先端から下方へ延びて前後接地部２５，２６に至る前後垂下部２３，２４を有するので、前後傾斜部２１，２２が直接に前後接地部２５，２６に至る場合に比して、前後接地部２５，２６周りに鋭角状の空間が形成されなくなる。これにより、前後接地部２５，２６周りに清掃具の吸引ヘッド等を近付けやすく、清掃のしやすさをより一層高めることができる。
【００５１】
上記実施形態における椅子１は、前記椅子本体２は、前記座体３の後部上方に後傾して立ち上がる背凭れ４を有し、前記後接地部２６は、平面視で前記座体３の後端位置Ｐ２よりも後方で前記背凭れ４の後端位置Ｐ３よりも前方に配置されている。
この構成によれば、椅子本体２が背凭れ４を有することで、椅子１の前後方向を明確にし、着座者の荷重を適切に支持する効果をより確実に得ることができる。また、後接地部２６を可及的に後方へ配置し、背凭れ４に入力される荷重を効率よく支持することができる。
【００５２】
なお、本発明は上記実施形態に限られるものではなく、本発明の要旨を逸脱しない範囲で種々の変更が可能である。
図１０は、実施形態の変形例として、背凭れ４を無くした椅子３１を示す。この場合、椅子３１の前後方向の向きは、座体３の幅方向両側の面取り形状や表皮材の模様、クッションの形状等で認識可能としてもよいが、前後接地部２５，２６間の間隔の違いで椅子３１の前後方向の向きを認識可能としてもよい。
【００５３】
図１１〜図１６は、実施形態の他の変形例を示す。
図１１は、座体３から鉛直下方へ直線状に延びる前後脚杆４２，４３を備えた椅子４１を示す。座体３は、幅方向に並ぶ複数の脚部材４４によって支持されている。各脚部材４４は前後脚杆４２，４３で構成されている。複数の脚部材４４における幅方向の最外側に位置する一対の外側脚部材４４ａの前後脚杆４２，４３には、それぞれ前接地部２５の前外側接地部２５ａ、および後接地部２６の後外側接地部２６ａが設けられている。この例の場合、脚部材の製造を容易にしてコストダウンが図られる。
【００５４】
図１２は、脚杆に代わり板状の脚部材５２を備えた椅子５１を示す。脚部材５２は、例えば上下方向に平行な平板状に形成されている。座体３は、幅方向に並ぶ複数の脚部材５２によって支持されている。複数の脚部材５２における幅方向の最外側に位置する一対の外側脚部材５２ａは、前後方向に対して後側が幅方向内側に位置するように平面視で傾斜している。一対の外側脚部材５２ａの前部下端には、前接地部２５の前外側接地部２５ａが設けられ、一対の外側脚部材５２ａの後部下端には、後接地部２６の後外側接地部２６ａが設けられている。この例の場合、前後外側接地部２５ａ，２６ａ間も接地部となるので、床面Ｆへの接地荷重が分散される。
【００５５】
図１３は、図１２の例に対して、前後外側接地部２５ａ，２６ａの間に切り欠き６３を有する脚部材６２を備えた椅子６１を示す。座体３は、幅方向に並ぶ複数の脚部材６２によって支持されている。複数の脚部材６２における幅方向の最外側に位置する一対の外側脚部材６２ａにおいて、切り欠き６３の前方部位の下端には、前接地部２５の前外側接地部２５ａが設けられ、切り欠き６３の後方部位の下端には、後接地部２６の後外側接地部２６ａが設けられている。この例の場合、図１２の例に対して前後外側接地部２５ａ，２６ａの位置がより明確になり、かつ脚部材６２周辺の掃除の容易化が図られる。
【００５６】
図１４は、座体３から延びる支柱７３と、支柱７３の下端に固定されて前後方向に延びる接地脚７４と、を有する脚部材７２を備えた椅子７１を示す。座体３は、幅方向に並ぶ複数の脚部材（支柱７３および接地脚７４）によって支持されている。複数の脚部材における幅方向の最外側に位置する一対の外側脚部材７２ａにおいて、接地脚７４の前部下端には、前接地部２５の前外側接地部２５ａが設けられ、接地脚７４の後部下端には、後接地部２６の後外側接地部２６ａが設けられている。この例の場合、前後外側接地部２５ａ，２６ａの上方に空間を確保しやすく、開放感を高めるとともに利用者等の干渉を抑える。
【００５７】
図１５は、椅子本体２の前部を支持する前脚部材８２と、椅子本体２の後部を支持する後脚部材８３と、を備える椅子８１を示す。前後脚部材８２，８３は、それぞれ幅方向で一体をなしている。前脚部材８２の幅方向外側の下端には、それぞれ前接地部２５の前外側接地部２５ａが設けられ、後脚部材８３の幅方向外側の下端には、それぞれ後接地部２６の後外側接地部２５ａが設けられている。すなわち、椅子本体２を支持する脚部材の構成は、幅方向に並ぶ複数の脚部材に限らない。
【００５８】
図１６は、互いに数が異なる前後脚部材９２，９３を備えた椅子９１を示す。座体３は、幅方向に並ぶ複数の前後脚部材９２，９３によって支持されている。複数の前後脚部材９２，９３における幅方向の最外側に位置する一対の前後外側脚杆９２ａ，９３ａには、それぞれ前接地部２５の前外側接地部２５ａ、および後接地部２６の後外側接地部２６ａが設けられている。すなわち、一対の外側脚部材の間の脚部材の構成は特に限定されない。
【符号の説明】
【００５９】
１，３１，４１，５１，６１，７１，８１，９１  椅子
２  椅子本体
３  座体
３ａ  座本体
３ｆ  外周面
３ｇ  下面
３ｇ１  第一の部位
３ｇ２  第二の部位
４  背凭れ
４ａ  背凭れ本体
４ｅ  背凭れ後面
５  座フレーム
６  背フレーム
７  座クッション
８  背クッション
１１  座表皮材
１２  背表皮材
１３  第一の被覆材
１４  第二の被覆材
１５  脚体
１６  脚部材
１６ａ  外側脚部材
１７  前脚杆
１８  後脚杆
２１  前傾斜部
２２  後傾斜部
２３  前垂下部
２４  後垂下部
２５  前接地部
２５ａ  前外側接地部
２６  後接地部
２６ａ  後外側接地部
Ｌ１，Ｌ２  間隔
Ｐ２，Ｐ３  後端位置
Ｆ  床面（設置面）
【図１】
2018038541.tif 000003
【図２】
2018038541.tif 000004
【図３】
2018038541.tif 000005
【図４】
2018038541.tif 000006
【図５】
2018038541.tif 000007
【図６】
2018038541.tif 000008
【図７】
2018038541.tif 000009
【図８】
2018038541.tif 000010
【図９】
2018038541.tif 000011
【図１０】
2018038541.tif 000012
【図１１】
2018038541.tif 000013
【図１２】
2018038541.tif 000014
【図１３】
2018038541.tif 000015
【図１４】
2018038541.tif 000016
【図１５】
2018038541.tif 000017
【図１６】
2018038541.tif 000018